(57)【特許請求の範囲】
【請求項１】
無線通信システムにおけるネットワークのネットワーク構成を伝送する方法であって、
接続モードのＭＳが他のルーティングエリアへのハンドオーバを行うとき、machine type communication（ＭＴＣ）装置に特有なネットワーク構成を、専用メッセージによって、移動局（ＭＳ）に伝送することを特徴とする方法。
【請求項２】
無線通信システムにおけるネットワークのネットワーク構成を伝送する方法であって、
machine type communication（ＭＴＣ）装置に特有なネットワーク構成を、専用メッセージによって、移動局（ＭＳ）に伝送し、
上記専用メッセージが、アクティブセット更新メッセージ、セル更新確認メッセージ、物理チャネル再構成メッセージ、無線ベアラ再構成メッセージ、無線ベアラ解放メッセージ、無線ベアラセットアップメッセージ、輸送チャネル再構成メッセージ、ＵＴＲＡＮ移動度情報メッセージ、およびHANDOVER TO UTRAN COMMANDメッセージ、のうちのいずれかであることを特徴とする方法。
【請求項３】
無線通信システムにおけるネットワークのネットワーク構成を伝送する方法であって、
machine type communication（ＭＴＣ）装置に特有なネットワーク構成を、専用メッセージによって、移動局（ＭＳ）に伝送し、
上記専用メッセージが、上記移動局（ＭＳ）に対し、第１のＲＡＴ（radio access technology）から第２のＲＡＴ（radio access technology）へ、あるいは、第１のルーティングエリアから第２のルーティングエリアへのハンドオーバまたは変更を指示することを特徴とする方法。
【請求項４】
上記ネットワーク構成は、上記専用メッセージにおける、コアネットワーク（ＣＮ）情報のinfo要素、および、ＣＮ情報のinfo full要素に含まれる、上記ＭＳの特定のサブカテゴリに対するオペレーションのネットワークモードを表す情報要素として伝送されるものであることを特徴とする請求項１から３のいずれか１項に記載の方法。
【請求項５】
上記ネットワーク構成が、オペレーション要素の新しいネットワークモードを処理するように構成された上記ＭＳに対し、上記ネットワークをネットワークオペレーションモードＩとして扱うようにさせることを特徴とする請求項４に記載の方法。
【請求項６】
無線通信システムにおけるネットワーク構成を伝送する通信装置であって、
接続モードのＭＳが他のルーティングエリアへのハンドオーバを行うとき、machine type communication（ＭＴＣ）装置に特有なネットワーク構成を、専用メッセージよって、移動局（ＭＳ）に伝送する手段を備えていることを特徴とする通信装置。
【請求項７】
無線通信システムにおけるネットワーク構成を伝送する通信装置であって、
machine type communication（ＭＴＣ）装置に特有なネットワーク構成を、専用メッセージよって、移動局（ＭＳ）に伝送する手段を備え、
上記専用メッセージが、アクティブセット更新メッセージ、セル更新確認メッセージ、物理チャネル再構成メッセージ、無線ベアラ再構成メッセージ、無線ベアラ解放メッセージ、無線ベアラセットアップメッセージ、輸送チャネル再構成メッセージ、ＵＴＲＡＮ移動度情報メッセージ、およびHANDOVER TO UTRAN COMMANDメッセージ、のうちのいずれかであることを特徴とする通信装置。
【請求項８】
無線通信システムにおけるネットワーク構成を伝送する通信装置であって、
machine type communication（ＭＴＣ）装置に特有なネットワーク構成を、専用メッセージよって、移動局（ＭＳ）に伝送する手段を備え、
上記専用メッセージが、上記移動局（ＭＳ）に対し、第１のＲＡＴ（radio access technology）から第２のＲＡＴ（radio access technology）へ、あるいは、第１のルーティングエリアから第２のルーティングエリアへのハンドオーバまたは変更を指示することを特徴とする通信装置。
【請求項９】
上記ネットワーク構成は、上記専用メッセージにおける、コアネットワーク（ＣＮ）情報のinfo要素、および、ＣＮ情報のinfo full要素に含まれる、上記ＭＳの特定のサブカテゴリに対するオペレーションのネットワークモードを表す情報要素として伝送されるものであることを特徴とする請求項６から８のいずれか１項に記載の通信装置。
【請求項１０】
上記ネットワーク構成が、オペレーション要素の新しいネットワークモードを処理するように構成された上記ＭＳに対し、上記ネットワークをネットワークオペレーションモードＩとして扱うようにさせることを特徴とする請求項６から８のいずれか１項に記載の通信装置。
【発明の詳細な説明】
【技術分野】
【０００１】
本願は、無線通信システムおよび関連する通信装置において使用される方法および関連する通信装置に関し、さらに具体的には、無線通信システムにおいてネットワーク構成を伝送する方法および関連する通信装置に関するものである。
【背景技術】
【０００２】
ＭＴＣ（Machine-type communication）は、人とのやりとりを必要としない１つ以上のエンティティを含むデータ通信の１種である。つまり、ＭＴＣとは、ユーザが使用する移動局（ＭＳ）の代わりに、マシン装置が使用する、例えば、既存のＧＥＲＡＮ、ＵＭＴＳ、ＬＴＥ（Long-Term Evolution）などのネットワークに基づく通信コンセプトを指す。ＭＴＣにおいて使用されるマシン装置をＭＴＣ装置とも呼称する。ＭＴＣ装置には、自動販売機やダムで水位を計測する機器など、さまざまな種類がある。つまり、ＭＴＣはさまざまな分野で広く適用可能なものである。ＭＴＣ装置は、一般的なＭＳの特徴とは異なる特徴を有する。したがって、ＭＴＣに対して最適化されたサービスが、人と人との間の通信に対して最適化されたサービスとは異なることが起こり得る。現在のモバイルネットワーク通信サービスと比較すると、ＭＴＣの特徴は、異なる市場動向、データ通信、低コストおよび低労力、潜在的に多数のＭＳが通信できること、広いサービスエリア、ＭＳ１台当たりの小さなトラフィックなどにあると言うことができる。
【０００３】
一方で、ＭＴＣ装置の台数は、従来装置の台数に比べてはるかに大きくなると考えられる。また、一般的なマシン−マシン間（Ｍ２Ｍ）サービスの特徴のために、複数のＭＴＣ装置のオペレーションを同時に実行する可能性が高い。Ｍ２Ｍ通信（「Machine-type communications」または「ＭＴＣ」とも称する）は、さまざまな分野で使用可能である。セキュリティの分野であれば、Ｍ２Ｍ通信は、監視システム、電話の地上線のバックアップ、（例えばビルへの）物理的なアクセスの制御、自動車／ドライバのセキュリティなどにおいて使用することができる。トラッキングおよび追跡の分野であれば、Ｍ２Ｍ通信は、業務車両管理、注文管理、走行距離に応じた課金制（Pay As You Drive（ＰＡＹＤ））への応用、資産追跡、ナビゲーション、交通情報への応用、通行料金の徴収、交通量の最適化、操縦などに使用することもできる。料金支払いシステムの分野であれば、Ｍ２Ｍ通信は、ＰＯＳ（point of sale）、自動販売機、カスタマロイヤリティへの適用、ゲーム機などにおいて使用することもできる。保健医療であれば、Ｍ２Ｍ通信は、生命徴候の遠隔モニタリング、高齢者や障碍者の介護、ウェブでアクセス可能な遠隔医療ポイント、遠隔診断において使用することもできる。遠隔メンテナンス／制御の分野であれば、Ｍ２Ｍ通信は、プログラマブルロジックコントローラ（ＰＬＣ）、センサ、照明器具、ポンプ、バルブ、エレベーターの制御、自動販売機の制御、車両点検などにおいて使用することもできる。計測の分野であれば、Ｍ２Ｍ通信は、電力、ガス、水道、暖房、グリッド制御、工業計測などに関連する応用分野において使用することもできる。また、ＭＴＣ（Machine-type communication）技術に基づくＭ２Ｍ通信は、例えば顧客サービスの分野で使用することもできる。
【０００４】
実装によっては、Ｍ２Ｍ通信は従来の通信モデルとは異なる可能性がある。例えば、Ｍ２Ｍ通信は新しいもしくは異なった市場動向に影響を及ぼす可能性がある。また、Ｍ２Ｍ通信は、大量の無線送受信ユニット（ＷＴＲＵ）を関与させられる点、および／または、ＷＴＲＵ一台あたり非常に少ないトラフィックで機能できるという点で従来技術と異なる。さらに、いくつかの従来技術と比較して、Ｍ２Ｍ通信は整備にかかるコストと労力を低く抑えることができる可能性がある。
【０００５】
Ｍ２Ｍ通信は、例えば、ＧＳＭ（登録商標）（Global System for Mobile Communications）、ＵＭＴＳ（Universal Mobile Telecommunications System）、ＬＴＥ（Long-Term Evolution）、ＬＴＥ−Ａｄｖａｎｃｅｄ（Long-Term Evolution Advanced）などの３ＧＰＰ（Third Generation Partnership Project）技術に基づく、および／または、例えばＷｉＭＡＸ（Worldwide Interoperability for Microwave Access）、または、米国電気電子技術者学会（ＩＥＥＥ）や３ＧＰＰ２が開発した技術などの他の技術に基づく、開発済みの無線ネットワークを利用してもよい。Ｍ２Ｍ通信は、これらの技術に基づくネットワークを使用して、各種ビジネスソリューションを高い対費用効果で配信してもよい。無線ネットワークが至る所に配備された環境では、無線ネットワークが利用可能であることによって、Ｍ２Ｍ  ＷＴＲＵの整備および使用が加速および／または促進される可能性がある。また、これらの技術がさらに発展すれば、Ｍ２Ｍに基づくソリューションを整備するさらなる機会が創出される可能性がある。
【０００６】
３ＧＰＰネットワークによって回線交換サービスとパケット交換サービスの呼び出しを連携させることが可能である。呼び出しの連携とは、ネットワークが、回線交換サービスへの呼び出しメッセージを、パケット交換サービスを呼び出したのと同じチャネル、すなわちＧＰＲＳ呼び出しチャネルまたはＧＰＲＳトラフィックチャネル上で伝送することであり、ＭＳ（移動局）はそのチャネルだけを監視していればよい。３つのネットワークオペレーションモードとして、ネットワークオペレーションモードＩ；ネットワークオペレーションモードII；ネットワークオペレーションモードIIIを定義しておく。
【０００７】
ネットワークオペレーションモードＩ：ネットワークはＧＰＲＳアタッチトＭＳに対し、ＧＰＲＳ呼び出しチャネルと同じチャネル（すなわちパケット呼び出しチャネルかＣＣＣＨ呼び出しチャネル）上か、ＧＰＲＳトラフィックチャネル上のいずれかで、ＣＳ（circuit-switched（回線交換））呼び出しメッセージを伝送する。これは、このＭＳが１つの呼び出しチャネルだけを監視すればよいことを意味しており、このＭＳがパケットデータチャネルに割り当てられているときには、このＭＳはパケットデータチャネル上でＣＳ呼び出しメッセージを受信することを意味している。
【０００８】
ネットワークオペレーションモードII：ネットワークはＧＰＲＳアタッチトＭＳに対し、ＣＣＣＨ呼び出しチャネル（このチャネルはＧＰＲＳ呼び出しにも使用される）上で、ＣＳ呼び出しメッセージを伝送する。これは、このＭＳがＣＣＣＨ呼び出しチャネルだけを監視すればよいことを意味する。例えば、このＭＳがパケットデータチャネルを割り当てられている場合であっても、３ＧＰＰの従属節8.1.6に記述されているＢＳＳ呼び出し連携がアクティブでない限り、この呼び出しチャネル上でＣＳ呼び出しが継続するということである。
【０００９】
ネットワークオペレーションモードIII：ネットワークはＧＰＲＳアタッチトＭＳに対し、ＣＳ呼び出しメッセージはＣＣＣＨ呼び出しチャネル上で伝送し、ＧＰＲＳ呼び出しメッセージはパケット呼び出しチャネル（セルに割り当てられていた場合）上かＣＣＣＨ呼び出しチャネル上のいずれかで伝送する。これは、あるＭＳが回線交換サービスとパケット交換サービスの両方への呼び出しを受信したい場合、パケット呼び出しチャネルが割り当てられていれば、セル内で両方の呼び出しチャネルを監視することを意味している。コアネットワークは呼び出しの連携を行わない。ただし、３ＧＰＰの従属節8.1.6のＢＳＳレベルにおける呼び出し連携の記述も参照されたい。
【００１０】
このネットワークオペレーションモード（Ｉ、II、III）は、ＭＳに対しシステム情報として示されるものとする。追加のシステム情報は、ＭＴＣ用に構成されたＭＳがＮＭＯ  Ｉを使用することを示すことができ、これは他のＭＳに対するシステム情報にどのＮＭＯが示されているかと関係なく行うことができる。これらの指示から、ＭＳはネットワークに対しどのモードを適用するかを決定する。適切なオペレーションのために、オペレーションモードは１つのルーティングエリアの各セル内で同じであるべきである。ネットワークによって提供されたシステム情報に基づき、ＭＳはその機能に応じて、自身がＧＰＲＳサービス、非ＧＰＲＳサービス、あるいはその両方にアタッチしうるか否かを選択する。
【先行技術文献】
【非特許文献】
【００１１】
【非特許文献１】3GPP TSG SA WG2 Meeting #80; CR S2-104260, "NMO=I for MTC devices and NMO=II for other mobiles", 2010/08/30
【非特許文献２】3GPP TS 25.331 V9.0.0 (2009-09) Technical Specification 3rd Generation Partnership Project; Technical Specification Group Radio Access Network; Radio Resource Control (RRC); Protocol Specification (Release 9)
【発明の概要】
【発明が解決しようとする課題】
【００１２】
承諾済みのＣＲ  Ｓ２−１０４２６０によれば、ネットワークは、ＭＴＣ装置として構成された装置に対して、ネットワークをＮＭＯ  Ｉとして扱うように指示するパラメータをシステム情報に含めて伝送することができる。このパラメータを読んだ後、ＭＴＣ装置はネットワークをＮＭＯ  Ｉとして扱い、それに沿って手続きを実行する。この情報要素はシステム情報でブロードキャストされることに留意されたい。
【００１３】
しかしながら、ＧＥＲＡＮ／ＵＭＴ  ＭＳがシステム情報を読むのはアイドルモードのときのみであり、接続モードのときにはシステム情報を読まない。接続モードであって別のＲＡ（ルーティングエリア）へのハンドオーバ（例えばＣＳハンドオーバやＣＥＬＬ  ＤＣＨ状態でのＳＲＮＳリロケーション等）を行うＭＳは、このネットワーク構成パラメータを取得できず、新しいＲＡがＭＴＣ装置に対しこの特徴をサポートするか否かを知ることもない。従ってＭＴＣ装置の挙動は不確定である。
【課題を解決するための手段】
【００１４】
無線通信システムにおけるネットワークのネットワーク構成の伝送方法を提供する。
【００１５】
無線通信システムにおけるネットワークのネットワーク構成の伝送方法を開示する。この方法は、machine type communication（ＭＴＣ）装置に特有なネットワーク構成を、専用メッセージによって、移動局（ＭＳ）に伝送する処理を含んでいる。
【００１６】
無線通信システムにおけるネットワーク構成の伝送を行う通信装置を開示する。この通信装置は、ＭＴＣ装置に特有なネットワーク構成を、専用メッセージによって、移動局（ＭＳ）に伝送する手段を備えている。
【００１７】
本発明のこれらの目的および他の目的は、様々な図面において図解される以下の好ましい実施形態の詳細な説明を読めば、当業者に明らかになるであろう。
【図面の簡単な説明】
【００１８】
【図１】無線通信システムのmachine type communication（ＭＴＣ）アーキテクチャである。
【図２】典型的な通信装置の概略図である。
【図３】典型的な手続きのフローチャートである。
【図４】無線通信システムの別のＭＴＣアーキテクチャである。
【発明を実施するための形態】
【００１９】
〔関連出願の相互参照〕
本願は、２０１０年９月３０日出願の“Method to communicate the network configuration parameters to the MTC devices）”を名称とする、米国仮出願番号６１／３８７，９９４号の利益を主張するものである。当該出願を参照することにより、その全体を本願に含める。
【００２０】
〔詳細な説明〕
図１は、無線通信システム１０の、典型的なＭＴＣ（Machine Type Communication）アーキテクチャを示している。無線通信システム１０は、複数のＭＴＣ装置１００、ネットワーク１１０、複数の移動局（ＭＳ）１２０、ＭＴＣサーバ１３０、および、ＭＴＣユーザ１４０を含む。上記複数のＭＴＣ装置１００および複数のＭＳ１２０は、ネットワーク１１０に接続されている。ＭＴＣサーバ１３０は、ネットワーク１１０を介して、ＭＴＣ装置１００の情報を受信し、この情報をＭＴＣユーザ１４０に提供する。ＭＴＣサーバ１３０は、ネットワーク１１０の外側、または、ネットワーク１１０の内側に配置され、ネットワークオペレータによって管理される。
【００２１】
ネットワーク１１０は、ＧＳＭ（Global System for Mobile Communications）、ＵＭＴＳ（Universal Mobile Telecommunications System）、ＧＥＲＡＮ（GSM EDGE Radio Access Network）、ＬＴＥ（Long-Term Evolution）、ＬＴＥ−Ａｄｖａｎｃｅｄ（Long-Term Evolution Advanced）、および／または、例えばＷｉＭＡＸ（Worldwide Interoperability for Microwave Access）、または、米国電気電子学会（ＩＥＥＥ）が開発した、他の技術であってもよい。ＭＴＣ装置３２０は、無線通信システムにおけるＵＥ（user equipment）と呼ばれることもあり、携帯電話やコンピュータシステムなどを含む。
【００２２】
ネットワーク１１０は、パケット交換サービスに使用したのと同じチャネル、すなわちＧＰＲＳ呼び出しチャネル上、もしくはＧＰＲＳトラフィックチャネル上で、回線交換（ＣＳ）サービスの呼び出しメッセージを伝送する。このときＭＳ１２０はこのチャネルだけを監視すればよい。ネットワークオペレーションモードは以下の３つを定義する：ネットワークオペレーションモードＩ；ネットワークオペレーションモードII；ネットワークオペレーションモードIII。
【００２３】
図２は、典型的な通信装置２０の概略図である。上記通信装置２０は、図１に示すＭＴＣ装置１００、ネットワーク１１０、ＭＳ１２０、または、ＭＴＣサーバ１３０であってもよい。そして、上記通信装置２０は、処理手段（例えばマイクロプロセッサまたは特定用途向け集積回路（ＡＳＩＣ））２００、記憶ユニット２１０、および、通信インターフェースユニット２２０を備えていればよい。記憶ユニット２１０は、処理手段２００がアクセスするプログラムコード２１４を記憶することができる、任意のデータ記憶装置であればよい。記憶ユニット４１０の例としては、ＳＩＭ（subscriber identity module）、読み出し専用メモリ（ＲＯＭ）、ランダムアクセスメモリ（ＲＡＭ）、ＣＤ−ＲＯＭ、磁気テープ、フロッピー（登録商標）ディスク、および、光学式データ記憶装置などがあげられるが、これらの例に限定されるものではない。通信インターフェースユニット２２０は、処理手段２００の処理結果に合わせて、ネットワーク１１０と通信を行う、例えば、トランシーバまたはワイヤリンク／論理リンクであればよい。
【００２４】
図３は典型的なプロセス３０のフローチャートである。このプロセス３０は、無線通信システム１０におけるネットワーク１１０のネットワーク構成の伝送に使用される。プロセス３０はプログラムコード２１４にコンパイルすることもでき、以下のステップを含む。
・ステップ３００：開始
・ステップ３０２：専用メッセージによって、ＭＴＣ装置１００に特有なネットワーク構成を伝送する
・ステップ３０４：終了。
【００２５】
プロセス３０によれば、ネットワーク１１０はＭＴＣ装置１００に対し特有なネットワーク構成を専用メッセージによって伝送する。ネットワーク１１０はネットワークオペレーションモードＩをサポートしていてもよいし、サポートしていなくてもよい。専用メッセージとしては、アクティブセット更新メッセージ、セル更新確認メッセージ、物理チャネル再構成メッセージ、無線ベアラ再構成メッセージ、無線ベアラ解放メッセージ、無線ベアラセットアップメッセージ、輸送チャネル再構成メッセージ、ＵＴＲＡＮ移動度情報メッセージ、あるいは、現在のルーティングエリア／無線アクセス技術（ＲＡＴ（radio access technology））から他のルーティングエリア／インターＲＡＴへのハンドオーバまたは変更を、ＭＳ１２０に指示するHANDOVER TO UTRAN COMMANDメッセージなどがありうる。上記専用メッセージにおいて、ネットワーク構成は、コアネットワーク（ＣＮ）情報のinfo要素およびＣＮ情報のinfo full要素に含まれる情報要素として伝送される。換言すれば、（例えば情報要素の形式で）上記ネットワーク構成は、アクティブセット更新メッセージ、セル更新確認メッセージ、物理チャネル再構成メッセージ、無線ベアラ再構成メッセージ、無線ベアラ解放メッセージ、無線ベアラセットアップメッセージ、輸送チャネル再構成メッセージ、ＵＴＲＡＮ移動度情報メッセージ、あるいは、HANDOVER TO UTRAN COMMANDメッセージに包含される。ネットワーク１１０が専用メッセージによってネットワーク構成を伝送した後、ＭＳ１２０はアイドルモードか接続モードかにかかわらず、専用メッセージを受信し、ネットワーク構成を読むことができる。このようにして、接続モードのＭＳ１２０が別のルーティングエリアへのハンドオーバを行った場合、ＭＳ１２０は専用メッセージからネットワーク構成を取得し、新しいルーティングエリアがＭＴＣ装置１００に対し同じ特徴をサポートするか否かを知る。
【００２６】
例として図４を参照されたい。図４は、無線通信システム４０における典型的なＭＴＣアーキテクチャである。無線通信システム４０は、ＭＴＣ装置４００、非ＭＴＣ装置４０１、ネットワーク４１０、ＭＳ４２０、ＭＴＣサーバ４３０、およびＭＴＣユーザ４４０を含む。ＭＴＣ装置４００、非ＭＴＣ装置４０１およびＭＳ４２０は、ネットワーク４１０に接続されている。ＭＴＣサーバ４３０は、ＭＴＣ装置４００の情報をネットワーク４１０を介して受信し、その情報をＭＴＣユーザ４４０に提供する。ＭＴＣサーバ４３０は、ネットワーク４１０の外部または内部に設置され、ネットワークオペレータによって管理される。ネットワーク４１０は非ＭＴＣ装置４０１に関してネットワークオペレーションモードIIをサポートしてもよい。ＭＴＣ装置４００はＰＳ（パケット交換）サービスとＣＳ（回線交換）サービスにアタッチされており、近隣のセルの測定情報を含む測定報告をネットワーク４１０に伝送する。これを受けネットワーク４１０は、ＭＳ４２０を他のルーティングエリアに属するセルにハンドオーバすることを決定する。ネットワーク４１０は、ＭＴＣ装置４００に関してはネットワークオペレーションモードＩのサポートに関する構成を情報要素Ｆとして伝送する。また、ネットワーク４１０は、非ＭＴＣ装置４０１に関してはネットワークオペレーションIIをサポートに関する構成を、アクティブセット更新メッセージやＵＴＲＡＮ移動度情報メッセージなどの専用メッセージによって伝送する。ＭＳ４２０がＭＴＣをサポートし、アクティブセット更新メッセージやＵＴＲＡＮ移動度情報メッセージの形式で情報要素Ｆを受信する場合、ＭＳ４２０は、新しいセルがＮＭＯ  Ｉをサポートすることを表す情報要素Ｆに基づいてアクションを起こす。この状況では、ＭＴＣをサポートするＭＳ４２０は複合ルーティングエリアの更新手続きを実行する。ＭＳ４２０がＭＴＣをサポートしていない場合、ＭＳ４２０は個々のルーティングエリアの更新手続きを実行する。
【００２７】
提案したステップを含めた上述の各ステップは、ハードウェア、ハードウェア装置とコンピュータ命令とハードウェア装置に読み取り専用ソフトウェアとして常駐するデータとの組み合わせとして知られるファームウェア、または、電子システムなどの手段によって実現可能である。ハードウェアの例としては、マイクロ回路、マイクロチップ、または、シリコンチップとして知られている、アナログ回路、デジタル回路、およびそれらの混合回路などがあげられる。電子システムの例としては、システム・オン・チップ（ＳＯＣ）、システム・イン・パッケージ（ＳiＰ）、コンピュータ・オン・モジュール（ＣＯＭ）、および通信装置２０などがあげられる。なお、通信装置２０においては、処理手段２００が上述の各プロセスに関連するプログラムコード２１４を処理し、処理された結果が無線通信システム１０におけるネットワークのネットワーク構成を伝送することができる。
【００２８】
まとめると、ネットワークは、ＭＴＣ装置に特有なネットワーク構成を、現在のルーティングエリア／ＲＡＴから他のルーティングエリア／インターＲＡＴへのハンドオーバまたは変更をＭＳに指示する専用メッセージによって伝送する。ネットワークが上記専用メッセージによってネットワーク構成を伝送した後、ＭＳはアイドルモードか接続モードかにかかわらず、専用メッセージを受信し、システム情報を読むことができる。このようにして、接続モードのＭＳが他のルーティングエリアへのハンドオーバを行うとき、そのＭＳは専用メッセージからネットワーク構成を取得し、新しいルーティングエリアがＭＴＣ装置に対し同じ特徴をサポートしているか否かを知る。
【００２９】
本発明の教示を保持する限り、装置および方法に、多数の変形および変更を行ってもよいことは、当業者には容易に明らかであろう。従って、上述の開示内容は、添付の特許請求の範囲の境界および限界によってのみ、制限されるものと理解されるべきである。
【図１】
0005247869.tif 000002
【図２】
0005247869.tif 000003
【図３】
0005247869.tif 000004
【図４】
0005247869.tif 000005